(57)【特許請求の範囲】
【請求項１】
拡散器本体にセットされた容器体の吸上芯を加熱して該吸上芯で吸い上げられた薬剤を拡散する拡散器において、
前記拡散器本体を、セットされた前記容器体の前記吸上芯を加熱する加熱部が設けられた内部構成体と、該内部構成体の裏側を覆う後カバーと、該後カバーの前側に取り付けられ、当該後カバーとの間に前記内部構成体を収容する前カバーとで構成する一方、
前記前カバーに、前記後カバー側へ向けて延出する延出片を設け、該延出片上に配置された状態で当該延出片に支持される支持片を前記内部構成体に設けるとともに、該延出片を下方から支持する支持リブを前記後カバーの内側面に突設し、
該後カバーの前記支持リブ及び前記前カバーの前記延出片に設けられた挿通穴を挿通するネジを、前記内部構成体の前記支持片に螺入して、前記後カバーの前記支持リブと前記内部構成体の前記支持片との間に前記前カバーの前記延出片を挟持した状態で、前記後カバーと前記内部構成体と前記前カバーとを固定したことを特徴とする拡散器。
【請求項２】
前記拡散器本体の下部に、前記容器体が下方からセットされる下方開口状の容器保持空間を設けるとともに、前記容器保持空間の天井部の少なくとも一部を、前記後カバーの前記支持リブで構成したことを特徴とした請求項１記載の拡散器。
【請求項３】
前記前カバーを、光を透過する透光性を有した部材で構成するとともに、前記内部構成体に発光する発光体を設ける一方、
前記後カバーと前記内部構成体と前記前カバーとの固定位置を、前記発光体より前記後カバー側に設定したことを特徴とする請求項１又は２記載の拡散器。
【発明の詳細な説明】
【技術分野】
【０００１】
本発明は、薬剤を気化して拡散させる拡散器に関する。
【背景技術】
【０００２】
従来、薬剤瓶に収容された液状薬剤を気化して放出する際には、拡散器が用いられていた（例えば、特許文献１）。
【０００３】
この拡散器では、拡散器本体にセットされた薬剤容器の吸上芯を加熱することで、前記吸上芯で吸い上げられた薬剤を加熱して蒸散効率を高めるように構成されている。
【特許文献１】特開平８−１４８号公報
【発明の開示】
【発明が解決しようとする課題】
【０００４】
しかしながら、このような拡散器にあっては、拡散器本体の構成部品を多数のネジで固定して組み立てる構造上、組立が煩雑であった。
【０００５】
本発明は、このような従来の課題に鑑みてなされたものであり、組立を容易に行うことができる拡散器を提供することを目的とするものである。
【課題を解決するための手段】
【０００６】
前記課題を解決するために本発明の請求項１の拡散器にあっては、拡散器本体にセットされた容器体の吸上芯を加熱して該吸上芯で吸い上げられた薬剤を拡散する拡散器において、前記拡散器本体を、セットされた前記容器体の前記吸上芯を加熱する加熱部が設けられた内部構成体と、該内部構成体の裏側を覆う後カバーと、該後カバーの前側に取り付けられ、当該後カバーとの間に前記内部構成体を収容する前カバーとで構成する一方、前記前カバーに、前記後カバー側へ向けて延出する延出片を設け、該延出片上に配置された状態で当該延出片に支持される支持片を前記内部構成体に設けるとともに、該延出片を下方から支持する支持リブを前記後カバーの内側面に突設し、該後カバーの前記支持リブ及び前記前カバーの前記延出片に設けられた挿通穴を挿通するネジを、前記内部構成体の前記支持片に螺入して、前記後カバーの前記支持リブと前記内部構成体の前記支持片との間に前記前カバーの前記延出片を挟持した状態で、前記後カバーと前記内部構成体と前記前カバーとを固定した。
【０００７】
すなわち、拡散器本体を組み立てる際には、例えば前記後カバーに前記内部構成体をセットし、前記後カバーの支持リブ上に前記内部構成体の支持片を配置する。そして、前記後カバーの前記支持リブと前記内部構成体の前記支持片との間に形成された間隙に、前記前カバーに設けられた延出片を挿入し、前記後カバーの前記支持リブ上に、前記前カバーの前記延出片と前記内部構成体の前記支持片とを順に配置した積層状態を形成する。
【０００８】
そして、前記後カバーの前記支持リブ及び前記前カバーの前記延出片に設けられた挿通穴にネジを挿通するとともに、このネジを前記内部構成体の前記延出片に螺入する。すると、前記後カバーの前記支持リブと前記内部構成体の前記支持片との間に、前記前カバーの前記延出片が挟持された状態で固定される。
【０００９】
このように、前記後カバーの前記支持リブ及び前記前カバーの前記延出片に設けられた挿通穴にネジを挿通して前記内部構成体の前記延出片に螺入するだけで、前記後カバーと前記内部構成体と前記前カバーとの三部材が同時に固定される。
【００１０】
なお、この組立手順は、これに限定されるものでは無い。例えば、前記前カバーの前記延出片上に前記内部構成体の前記支持片を載置したものを、前記後カバーの前記支持リブ上に配置してネジ止めしても良い。
【００１１】
また、請求項２の拡散器においては、前記拡散器本体の下部に、前記容器体が下方からセットされる下方開口状の容器保持空間を設けるとともに、前記容器保持空間の天井部の少なくとも一部を、前記後カバーの前記支持リブで構成した。
【００１２】
すなわち、前記拡散器本体の下部には、前記容器体が下方からセットされる下方開口状の容器保持空間が設けられており、この容器保持空間の天井部の少なくとも一部は、前記後カバーの前記支持リブで構成されている。
【００１３】
このため、前記各部材を固定する前記ネジは、前記容器体がセットされた使用時には、当該容器体によって隠蔽される。
【００１４】
さらに、請求項３の拡散器では、前記前カバーを、光を透過する透光性を有した部材で構成するとともに、前記内部構成体に発光する発光体を設ける一方、前記後カバーと前記内部構成体と前記前カバーとの固定位置を、前記発光体より前記後カバー側に設定した。
【００１５】
すなわち、前記前カバーは、光を透過する透光性を有した部材で構成されており、その内側に配置される前記内部構成体には、発光体が設けられている。このため、この発光体からの光が前記前カバーを透過することによって、当該前カバーを光らせることができる。
【００１６】
そして、前記後カバーと前記内部構成体と前記前カバーとの固定位置は、前記発光体より前記後カバー側に設定されている。このため、前記発光体からの光は、前記固定位置に設けられたネジ等によって遮られること無く、前記前カバーに届く。
【発明の効果】
【００１７】
以上説明したように本発明の請求項１の拡散器にあっては、後カバーの支持リブ上に、前カバーの延出片と内部構成体の支持片とを順に積層し、前記後カバーの前記支持リブ及び前記前カバーの前記延出片に設けられた挿通穴にネジを挿通するとともに、このネジを前記内部構成体の前記延出片に螺入するだけで、前記後カバーの前記支持リブと前記内部構成体の前記支持片との間に前記前カバーの前記延出片を挟持した状態で、前記後カバーと前記内部構成体と前記前カバーとの三部材を同時に固定することができる。
【００１８】
このため、拡散器本体の構成部品を多数のネジで固定して組み立てなければならなかった従来と比較して、拡散器本体を容易に組み立てることができる。また、拡散器内部に必要以上の固定構造が不要なため、内部構成体上に設けられる加熱部等の配置を自由にできる。さらに、拡散器本体内の空気の流通の妨げにならず薬剤の拡散効率が向上する。
【００１９】
また、請求項２の拡散器においては、前記拡散器本体の下部に、容器体が下方からセットされる下方開口状の容器保持空間を設け、この容器保持空間の天井部の少なくとも一部を、前記後カバーの前記支持リブで構成した。
【００２０】
このため、この支持リブに設けられた挿通穴を挿通して前記各部材を固定する前記ネジを、前記容器体がセットされる使用時において、当該容器体によって隠蔽することができる。これにより、前記ネジが外部に露出する場合と比較して、外観品質を高めることができる。
【００２１】
さらに、請求項３の拡散器では、前記前カバーを、光を透過する透光性を有した部材で構成し、その内側に配置される前記内部構成体に発光体を設けることによって、前記前カバーを前記発光体からの光によって光らせることができる。これにより、当該拡散器を照明として利用することができる。
【００２２】
そして、前記後カバーと前記内部構成体と前記前カバーとの固定位置を、前記発光体より前記後カバー側に設定することにより、前記発光体からの光を、前記固定位置に設けられたネジ等によって遮断すること無く、前記前カバーに行き届かせることができる。
【００２３】
これにより、前記前カバーを、明るく発光させることができる。
【発明を実施するための最良の形態】
【００２４】
以下、本発明の一実施の形態を図に従って説明する。図１は、本実施の形態にかかる拡散器としての芳香器１を示す図である。該芳香器１は、芳香器本体２にセットされた容器体としての薬剤瓶３内の液状薬剤を気化して放出する装置であり、当該芳香器１は、トイレや居住空間で使用されるものである。
【００２５】
この芳香器１の芳香器本体２は、図２にも示すように、後壁面を形成する後カバー１１と、該後カバー１１の前側に取り付けられる前カバー１２と、該前カバー１２と前記後カバー１１との間に配置される内部構成体１３とで構成されている。
【００２６】
前記後カバー１１は、光を透過しない有色の不透明な樹脂によって前方が開口した容器状に形成されており、その下部には、切欠部２１が設けられている。前記後カバー１１は、上部が断面円弧状に形成されており、その中央部には、薬剤を揮散する為の揮散穴２２が開設されている。
【００２７】
また、前記後カバー１１の上部には、内側に延出する一対の係止ピン３１，３１が前記揮散穴２２より前方側に設けられており、当該後カバー１１の側面には、前後方向に延在する上部リブ３２，３２と、支持リブとしての下部リブ３３，３３とが左右の部位に設けられている。前記下部リブ３３，３３の前端部には、リブ挿通穴３４，３４が設けられており、固定用のタッピンねじ３５，３５を挿通できるように構成されている。
【００２８】
この後カバー１１の側面上部には、図３及び図４にも示すように、複数のスリット４１，・・・からなる空気取入口４２，４２が左右に形成されており、該空気取入口４２，４２から芳香器本体２内に外部の空気を取り込めるように構成されている。前記空気取入口４２，４２の各スリット４１，・・・は、断面円弧状に形成された前記後カバー１１の上部に設けられており、当該後カバー１１の下部側面に設けられた場合と比較して、当該芳香器本体２の中心Ｃ寄りに配置されるように構成されている。
【００２９】
前記後カバー１１には、図５及び図６に示すように、軸部４４を介してスライド板４５が支持されており、スライド板４５は、前記軸部４４を中心に回動できるように構成されている。
【００３０】
前記スライド板４５には、前記軸部４４で支持された支持部６１と、該支持部６１より左右斜め上方に延出した延出部６２，６２とからなり、各延出部６２，６２は、前記左右の空気取入口４２，４２へ向けて延出している。各延出部６２，６２には、前記後カバー１１の内側面に沿って延在するように湾曲しており、各延出部６２，６２の左方には、前記後カバー１１の内側面に密着的に配置され前記空気取入口４２，４２を開閉する開閉面６３，６３が形成されている。また、各開閉面６３，６３の右方には、内側に後退した段差部６４，６４を介して、前記後カバー１１の内側面に対向する対向面６５，６５が形成されており、該対向面６５，６５と前記後カバー１１の内側面間に形成された間隙には、前記空気取入口４２，４２からの空気が通流する通流経路６６，６６が形成されている。
【００３１】
そして、前記スライド板４５には、操作ノブ４６が突設されており、該操作ノブ４６は、前記後カバー１１に設けられた挿通穴４７を介して外部に延出している（図１及び図２参照）。
【００３２】
これにより、前記操作ノブ４６を操作して前記スライド板４５を前記軸部４４を中心に反時計回りに回動した際には、前記延出部６２，６２の前記対向面６３，６３が各空気取入口４２，４２を覆いつつ、前記空気取入口４２，４２からの空気の取り入れは許容するように構成されている。また、前記操作ノブ４６を操作して前記スライド板４５を前記軸部４４を中心に時計回りに回動した際には、その回動角度に応じて前記延出部６２，６２の前記開閉面６３，６３が各空気取入口４２，４２を構成する各スリット４１，・・・の開口面積を可変するように構成されている。
【００３３】
前記後カバー１１の下部には、図２に示したように、一対の矩形穴７１が設けられており、前記内部構成体１３に設けられたコンセントフラグ７２，７２を前記矩形穴７１，７１を介して、当該後カバー１１より後方へ延出できるように構成されている。また、前記後カバー１１の下縁中央部には、係止爪７３が上方へ向けて突設されている。
【００３４】
前記内部構成体１３は、光を透過する透光性を有した半透明の樹脂で形成されており、図２及び図７に示すように、中央部に設けられた中央板８１を中心に構成されている。該中央板８１の左右側縁部は、一般部８２より一段高い支持片としての段差面８３，８３が形成されており、当該中央板８１が補強されている。
【００３５】
該中央板８１には、上方に膨出した円形膨出部９１が形成されており、該円形膨出部９１には、その下方から前記薬剤瓶３の首部が挿入されるように構成されている。前記中央板８１の後縁には、下方に垂下する挟持板９２が設けられており、該挟持板９２と前記中央板８１に形成された前記段差面８３との間には、間隙８４，８４が形成されている。前記挟持板９２の下縁中央には、凹部９３が形成されており（図２参照）、該凹部９３には、前記後カバー１１に設けられた前記係止爪７３が係合するように構成されている。
【００３６】
前記挟持板９２は、前記前カバー１２の下部と対向するように構成されており、当該挟持板９２は、前記前カバー１２との間に配置された前記薬剤瓶３の瓶本体９５を前記前カバー１２と共に前後から挟持できるように構成されている。これにより、前記挟持板９２と前記前カバー１２とで挟持された前記薬剤瓶３は、図７及び図８に示すように、その首部が前記円形膨出部９１に挿入された状態で保持されるとともに、前記首部より延出した吸上芯９６が前記円形膨出部９１に設けられた支持穴９７を介して上方へ延出するように構成されている。これにより、当該芳香器本体２の下部には、図１及び図３にも示したように、前記薬剤瓶３が下方からセットされる下方開口状の容器保持空間９８が形成されている。
【００３７】
前記中央板８１の後縁部には、図７及び図８に示すように、矩形状の支柱１０１が前記円形膨出部９１に沿って立設されており、この支柱１０１の上端部には、ヒータ１０２が設けられている。該ヒータ１０２は、前記支柱１０１に支持部材１０３を介して設けられており、当該ヒータ１０２は、前記円形膨出部９１に設けられた前記支持穴９７の真上に配置されるように構成されている。このヒータ１０２は、その加熱部１０４が円筒状に形成されており、前記薬剤瓶３より延出した前記吸上芯９６の外周部を包囲する位置に配置されている。これにより、前記吸上芯９６で吸い上げられた薬剤を前記ヒータ１０２で加熱することで、当該薬剤の蒸散を促進するとともに、蒸散した薬剤を前記揮散穴２２を介して外部に揮散できるように構成されている。
【００３８】
前記ヒータ１０２の前記加熱部１０４は、図４に示したように、その下縁が前記空気取入口４２，４２の下段のスリット４１より低くなるように配置されている。これにより、前記空気取入口４２，４２の各スリット４１，・・・は、前記加熱部１０４が設けられた高さ位置Ｌと、前記揮散穴２２が設けられた高さ位置Ｈとの間に配置されるように構成されている。また、前記スライド板４５に設けられた前記延出部６２，６２の前記対向面６５，６５が前記各空気取入口４２，４２を覆った状態では、図６に示したように、当該対向面６５，６５が、前記空気取入口４２，４２と前記加熱部１０４との間に配置された邪魔板を構成するように設定されている。
【００３９】
前記支持部材１０３には、前記ヒータ１０２の電極１１１，１１１が設けられており、該電極１１１，１１１は、接続線１１２，１１２を介して制御基板１１３に接続されている。該制御基板１１３は、前記挟持板９２の裏面に沿って固定されており、当該制御基板１１３の下部には、家庭用のＡＣコンセントに差し込まれる前記コンセントプラグ７２，７２が設けられている。
【００４０】
また、この制御基板１１３には、前記ＡＣコンセントから供給された電源で発光する発光体としての発光ダイオード１２１，１２２が一対接続されており、各発光ダイオード１２１，１２２は、前記円形膨出部９１の両脇に設けられたリブ１２３，１２３に係止された状態で固定されている。これにより、前記両発光ダイオード１２１，１２２が、前記支柱１０１及び前記ヒータ１０２より前カバー１２側に配置されるように構成されている。
【００４１】
また、前記円形膨出部９１の側部には、サブ基板１３１が設けられており、該サブ基板１３１は、前記制御基板１１３に接続されている。該サブ基板１３１には、スイッチ１３２が設けられており、該スイッチ１３２に設けられた操作部１３３は、図２に示したように、前記後カバー１１に設けられたスイッチ穴１２４を介して、当該後カバー１１の側部に突出するように構成されている。
【００４２】
前記円形膨出部９１に設けられた各リブ１２３，１２３の端部には、図５及び図６に示すように、上下に延在する円筒部１４１，１４１が形成されており、該円筒部１４１，１４１は、前記段差面８３，８３に突設されるとともに該段差面８３，８３を貫通して下方に開口するように構成されている。これにより、前記段差面８３の下方から挿入された固定用のタッピンねじ３５，３５を前記円筒部１４１，１４１に螺入できるように構成されている。
【００４３】
前記前カバー１２は、図２及び図９に示すように、前記内部構成体１３と同様に光を透過する透光性を有した半透明の樹脂で形成されており、該前カバー１２は、縦長の楕円形状に形成されている。この前カバー１２の前面は、緩やかに湾曲した凹凸の無い平坦面で構成されており、その周縁部には、凸条部１５１が全周に渡って形成されている。これにより、この凸条部１５１の内側は、フィルム等の貼着物を貼着可能な貼着面１５２を構成している。
【００４４】
前記前カバー１２の上部には、後方に延出した上部支持片１６１，１６１が設けられており、両上部支持片１６１，１６１には、係止穴１６２，１６２が設けられている。この上部支持片１６１，１６１の前記係止穴１６２，１６２には、前記後カバー１１に突設された前記係止ピン３１，３１が挿入された状態で係止されるよう構成されており（図２参照）、当該前カバー１２の上部を前記後カバー１１に固定できるように構成されている。
【００４５】
この前カバー１２の下部中央には、突出部１７１が突設されており、該突出部１７１は、図３に示したように、前記薬剤瓶３の前記瓶本体９５に設けられた凸部１７２を下方から支持し、当該薬剤瓶３の不用意な離脱を防止できるように構成されている。前記突出部１７１の両脇には、図９に示したように、前記後カバー１１側へ向けて延出する延出片１７３，１７３が設けられており、両延出片１７３，１７３は、断面Ｌ字状に形成されている。各延出片１７３，１７３には、円形の延出片挿通穴１７４，１７４が設けられており、固定用のタッピンねじ３５，３５を挿通できるように構成されている。
【００４６】
そして、図３及び図１０から図１１に示すように、前記後カバー１１に設けられた前記下部リブ３３，３３上には、前記前カバー１２に設けられた前記延出片１７３，１７３を載置した状態で支持できるように構成されており、前記前カバー１２に設けられた前記延出片１７３，１７３上には、前記内部構成体１３に設けられた段差面８３，８３を載置した状態で支持できるように構成されている。
【００４７】
これにより、前記後カバー１１の前記下部リブ３３，３３及び前記前カバー１２の前記延出片１７３，１７３に設けられたリブ挿通挿通穴３４，３４及び延出片挿通穴１７４，１７４を挿通するタッピンねじ３５，３５を、前記内部構成体１３の前記段差面８３，８３に突設された円筒部１４１，１４１に螺入して、前記後カバー１１の前記下部リブ３３，３３と前記内部構成体１３の前記段差面８３，８３との間に前記前カバー１２の前記延出片１７３，１７３を挟持した状態で、前記後カバー１１と前記内部構成体１３と前記前カバー１２とを固定できるように構成されている。
【００４８】
この固定状態において、前記後カバー１１と前記前カバー１２と前記内部構成体１３とを固定する固定位置１９１は、図３に示したように、前記各発光ダイオード１２１，１２２の下部であって、各発光ダイオード１２１，１２２の発光面より前記後カバー１１側に設定されている。また、前記内部構成体１３に設けられた前記各発光ダイオード１２１，１２２から前記前カバー１２までの間は、空き空間１９２となるように構成されている。
【００４９】
一方、前記薬剤瓶３を保持する前記容器保持空間９８は、図１１に示したように、その天井部２０１の中央部が前記内部構成体１３の前記中央板８１で構成されており、その左右側部は、前記後カバー１１の前記下部リブ３３，３３で構成されている。これにより、前記タッピンねじ３５，３５の挿通位置を構成する前記下部リブ３３，３３の前記リブ挿通穴３４，３４は、前記天井部２０１に配置されている。
【００５０】
以上の構成にかかる本実施の形態において、前記芳香器本体２を組み立てる際には、図６に示したように、前記後カバー１１の前記上部リブ３２，３２と前記下部リブ３３，３３との間に、前記円形膨出部９１を挿入するとともに、前記後カバー１１の係止爪７３を前記内部構成体１３の凹部９３に係合して、当該内部構成体１３を前記後カバー１１にセットする。このとき、前記後カバー１１の前記下部リブ３３，３３を、前記内部構成体１３の中央板８１に前記段差面８３と挟持板９２との間に形成された間隙８４，８４に挿入して、前記後カバー１１の前記下部リブ３３，３３上に前記内部構成体１３の前記段差面８３，８３を配置すると、前記後カバー１１の前記下部リブ３３，３３と前記内部構成体１３の前記段差面８３，８３との間に隙間１８１が形成される。
【００５１】
そして、前記後カバー１１に突設された係止ピン３１，３１を、前記前カバー１２の上部支持片１６１，１６１に設けられた係止穴１６２，１６２に挿入するとともに、前記後カバー１１の前記下部リブ３３，３３と前記内部構成体１３の前記段差面８３，８３との間に形成された隙間１８１に、図３に示したように、前記前カバー１２の前記延出片１７３，１７３を挿入する。すると、前記後カバー１１の前記下部リブ３３，３３上に、前記前カバー１２の前記延出片１７３，１７３と、前記内部構成体１３の前記段差面８３，８３とが順に積層される。このとき、前記後カバー１１の前記下部リブ３３に設けられた前記リブ挿通穴３４の中心と、前記前カバー１２の前記延出片１７３に設けられた前記延出片挿通穴１７４の中心と、前記内部構成体１３の前記段差面８３に形成された前記円筒部１４１の中心とが一致する。
【００５２】
次に、タッピンねじ３５，３５を、当該芳香器本体２の下面から前記後カバー１１の前記下部リブ３３における前記リブ挿通穴３４、及び前記前カバー１２の前記延出片１７３，１７３に設けられた延出片挿通穴１７４，１７４に挿通し、当該タッピンねじ３５，３５を前記内部構成体１３の前記円筒部１４１に螺入する。すると、前記後カバー１１の前記下部リブ３３，３３と、前記内部構成体１３の前記段差面８３，８３との間に、前記前カバー１２の前記延出片１７３，１７３が挟持された状態で固定される。
【００５３】
このように、前記後カバー１１の前記下部リブ３３，３３上に、前記前カバー１２の前記延出片１７３，１７３と、前記内部構成体１３の前記段差面８３とを順に積層し、前記後カバー１１の前記下部リブ３３，３３に設けられた前記リブ挿通穴３４，３４及び前記前カバー１２の前記延出片１７３，１７３に設けられた前記延出片挿通穴１７４，１７４に前記タッピンねじ３５，３５を挿通するとともに、該タッピンねじ３５，３５を、前記内部構成体１３の前記段差面８３に形成された前記円筒部１４１に螺入するだけで、前記後カバー１１の前記下部リブ３３，３３と前記内部構成体１３の前記段差面８３，８３との間に前記前カバー１２の前記延出片１７３，１７３を挟持した状態で、前記後カバー１１と前記内部構成体１３と前記前カバー１２との三部材を同時に固定することができる。
【００５４】
このため、芳香器本体の構成部品を多数のネジで固定して組み立てなければならなかった従来と比較して、芳香器本体２を容易に組み立てることができる。
【００５５】
なお、この組立手順は、これに限定されるものでは無い。例えば、前記前カバー１２の前記延出片１７３，１７３上に前記内部構成体１３の前記段差面８３，８３を載置したものを、前記後カバー１１の前記下部リブ３３，３３上に配置してネジ止めしても良い。
【００５６】
そして、前記芳香器本体２の下部には、薬剤瓶３が下方からセットされる下方開口状の容器保持空間９８を設けられており、この容器保持空間９８の天井部２０１の左右側部は、前記後カバー１１の前記前記下部リブ３３，３３で構成されている。
【００５７】
このため、この下部リブ３３，３３に設けられたリブ挿通穴３４，３４を挿通して前記各部材１１，１２，１３を固定する前記タッピンねじ３５，３５を、前記薬剤瓶３がセットされる使用時において、当該薬剤瓶３によって隠蔽することができる。これにより、前記タッピンねじ３５，３５が外部に露出する場合と比較して、外観品質を高めることができる。
【００５８】
さらに、前記前カバー１２は、光を透過する透光性を有した樹脂で形成されており、その内側に配置される前記内部構成体１３には、発光ダイオード１２１，１２２が設けられている。このため、前記前カバー１２を前記発光ダイオード１２１，１２２からの光によって光らせることができる。これにより、当該芳香器１を照明として利用することができる。
【００５９】
そして、前記後カバー１１と前記内部構成体１３と前記前カバー１２との固定位置１９１を、前記発光ダイオード１２１，１２２の発光面より前記後カバー１１側に設定することにより、前記発光ダイオード１２１，１２２からの光を、前記固定位置１９１に設けられたタッピンねじ３５，３５等によって遮断すること無く、前記前カバー１２に行き届かせることができる。
【００６０】
これにより、前記前カバー１２を、明るく発光させることができる。
【００６１】
なお、本実施の形態では、芳香器１について説明したが、殺虫剤を拡散させる殺虫剤、防虫剤を拡散させる防虫器、消臭剤を拡散させる消臭器等にも使用できる。
【図面の簡単な説明】
【００６２】
【図１】本発明の一実施の形態を示す斜視図である。
【図２】同実施の形態の分解斜視図である。
【図３】同実施の形態の要部の断面図である。
【図４】同実施の形態の前カバーと内部構成体とスライド板とを外した状態を示す正面図である。
【図５】同実施の形態の前カバーと内部構成体と薬剤瓶とを外した状態を示す正面図である。
【図６】同実施の形態の前カバーを外した状態を示す正面図である。
【図７】同実施の形態の内部構成体を示す側面図である。
【図８】同実施の形態の内部構成体を示す平面図である。
【図９】同実施の形態の前カバーを示す斜視図である。
【図１０】同実施の形態の芳香器本体を下方から見た分解斜視図である。
【図１１】同実施の形態の芳香器本体の底面図である。
【符号の説明】
【００６３】
１    芳香器
２    芳香器本体
３    薬剤瓶
１１    後カバー
１２    前カバー
１３    内部構成体
３３    下部リブ
３４    リブ挿通穴
３５    タッピンねじ
９６    吸上芯
９８    容器保持空間
１０４    加熱部
１２１    発光ダイオード
１２２    発光ダイオード
１７３    延出片
１７４    延出片挿通穴
１９１    固定位置
２０１    天井部
【図１】
0004619936.tif 000002
【図２】
0004619936.tif 000003
【図３】
0004619936.tif 000004
【図４】
0004619936.tif 000005
【図５】
0004619936.tif 000006
【図６】
0004619936.tif 000007
【図７】
0004619936.tif 000008
【図８】
0004619936.tif 000009
【図９】
0004619936.tif 000010
【図１０】
0004619936.tif 000011
【図１１】
0004619936.tif 000012